(57)【要約】【課題】複数のカードスロットの状態等を分かり易く通知することが可能な放送受信装置を提供すること。【解決手段】放送受信装置は、複数のチューナーと、前記複数のチューナーに対応した複数のカードスロットと、前記複数のカードスロットに挿入された各カードのカード情報を読み取る読取手段と、前記読取手段の読取結果から各カードスロットの状態を検出する検出手段と、前記読取手段により各カードから読み取られたカード情報に基づいて前記複数のチューナーでデスクランブルされた各放送信号、及び前記検出手段により検出された各カードスロットの状態をリスト表示するためのスロット情報を選択的又は同時に出力する出力手段と、を備えている。【選択図】図１４
2011044878.tif 000002
【特許請求の範囲】
【請求項１】
複数のチューナーと、
前記複数のチューナーに対応した複数のカードスロットと、
前記複数のカードスロットに挿入された各カードのカード情報を読み取る読取手段と、
前記読取手段の読取結果から各カードスロットの状態を検出する検出手段と、
前記読取手段により各カードから読み取られたカード情報に基づいて前記複数のチューナーでデスクランブルされた各放送信号、及び前記検出手段により検出された各カードスロットの状態をリスト表示するためのスロット情報を選択的又は同時に出力する出力手段と、
を備えた放送受信装置。
【請求項２】
前記出力手段は、前記読取手段の読取結果から判明する前記複数のカードスロットに挿入された各カードに関する情報をリスト表示するためのカード情報を出力することを特徴とする請求項１に記載の放送受信装置。
【請求項３】
前記出力手段は、所定のカードスロットの状態と前記所定のカードスロットに割り当てられた所定のスロット識別情報とを対応付けた対応付け情報と、前記所定のスロット識別情報により所定のカードスロットの位置を示すレイアウト情報とを出力することを特徴とする請求項１に記載の放送受信装置。
【請求項４】
前記出力手段は、所定のカードの情報と前記所定のカードスロットに割り当てられた所定のスロット識別情報とを対応付けた対応付け情報と、前記所定のスロット識別情報により所定のカードスロットの位置を示すレイアウト情報とを出力することを特徴とする請求項２に記載の放送受信装置。
【請求項５】
前記出力手段は、前記読取手段の読取結果から判明する不適切なカードの挿入を警告するための警告情報を出力することを特徴とする請求項１に記載の放送受信装置。
【請求項６】
前記複数のカードスロットのうちの所定のカードスロットは、第１の種類のカード用のカードスロットであり、前記複数のカードスロットのうちの前記所定のカードスロットを除く他の２以上のカードスロットは、第２の種類のカード用のカードスロットであり、
前記出力手段は、前記第１のカードスロットに対して前記第１の種類のカードと異なるカードの挿入を警告するための第１の警告情報、及び前記他の２以上のカードスロットに対して前記第２の種類のカードと異なるカードの挿入を警告するための第２の警告情報のうちの少なくとも一方を出力することを特徴とする請求項１に記載の放送受信装置。
【請求項７】
前記出力手段は、不適切なカードの挿入による不具合を解決するための解決策を案内するための情報を出力することを特徴とする請求項１に記載の放送受信装置。
【請求項８】
複数のチューナーに対応した複数のカードスロットに挿入された各カードから読み取られたカード情報に基づいて前記複数のチューナーでデスクランブルされた各放送信号を出力可能な放送受信装置に適用可能な情報出力方法であって、
前記複数のカードスロットの状態を検出し、
前記複数のカードスロットの状態をリスト表示するためのスロット情報を出力する情報出力方法。
【発明の詳細な説明】
【技術分野】
【０００１】
本発明は、カードに記録された情報に基づき、スクランブルされた放送信号をデスクランブルする放送受信装置に関する。
【背景技術】
【０００２】
近年、デジタルテレビジョン放送受信装置の高機能化が進み、これに対応して、ユーザに対して提供される案内情報も充実してきている。
【０００３】
例えば、機能情報及び接続端子情報を一覧表示するＡＶシステムが提案されている（特許文献１参照）。また、Ｂ−ＣＡＳカードの接続不具合に対応して注意メッセージを表示する放送受信装置が提案されている（特許文献２参照）。
【先行技術文献】
【特許文献】
【０００４】
【特許文献１】特開２００７−１３４９５６号公報
【特許文献２】特開２００８−２０５５６３号公報
【発明の概要】
【発明が解決しようとする課題】
【０００５】
デジタルテレビジョン放送において複数チャンネルを同時視聴又は同時録画するためには、複数チューナーが必要となる。さらに、スクランブルされた放送信号をデスクランブルするために、複数チューナーに対応した複数のデスクランブル用のカードとこれらカードを挿入するための複数のカードスロットとが必要となる。
【０００６】
各カードスロットに対して適切なカードが挿入されていないと、不具合が生じることがある。カードスロットが一つであれば、ユーザは比較的簡単に不具合の原因を予測することができる。しかしながら、カードスロットが複数でカードの種類も１つではない場合に、ユーザは不具合の原因を予測し難い。
【０００７】
本発明の目的は、複数のカードスロットの状態等を分かり易く通知することが可能な放送受信装置及び情報出力方法を提供することにある。
【課題を解決するための手段】
【０００８】
本発明の一実施形態に係る放送受信装置は、複数のチューナーと、前記複数のチューナーに対応した複数のカードスロットと、前記複数のカードスロットに挿入された各カードのカード情報を読み取る読取手段と、前記読取手段の読取結果から各カードスロットの状態を検出する検出手段と、前記読取手段により各カードから読み取られたカード情報に基づいて前記複数のチューナーでデスクランブルされた各放送信号、及び前記検出手段により検出された各カードスロットの状態をリスト表示するためのスロット情報（カードが挿入されていないスロットがあればその旨を示すなど）を選択的又は同時に出力する出力手段と、を備えている。
【０００９】
本発明の一実施形態に係る情報出力方法は、複数のチューナーに対応した複数のカードスロットに挿入された各カードから読み取られたカード情報に基づいて前記複数のチューナーでデスクランブルされた各放送信号を出力可能な放送受信装置に適用可能な情報出力方法であって、前記複数のカードスロットの状態を検出し、前記複数のカードスロットの状態をリスト表示するためのスロット情報を出力する。
【発明の効果】
【００１０】
本発明によれば、複数のカードスロットの状態等を分かり易く通知することが可能な放送受信装置及び情報出力方法を提供できる。
【図面の簡単な説明】
【００１１】
【図１】本発明の一実施形態に係るデジタルテレビジョン放送受信システムの概略構成を示す図である。
【図２】スロット情報及びカード情報に基づき生成された案内画面の一例を示す図である。
【図３】スロット情報及びカード情報に基づき生成された案内画面の一例を示す図である。
【図４】スロット情報及びカード情報に基づき生成された案内画面の一例を示す図である。
【図５】レイアウト情報に基づき生成された案内画面の一例を示す図である。
【図６】レイアウト情報に基づき生成された案内画面の一例を示す図である。
【図７】不適切なカードの挿入により生じる現象を案内するための案内画面の一例を示す図である。
【図８】解決策又は対応策を案内するための案内画面の一例を示す図である。
【図９】上記したデジタルテレビジョン放送受信システム３の主要な信号処理系を示す図である。
【図１０】カードスロットへのカード挿入を説明するための図である。
【図１１】カードスロットへのカード挿入を説明するための図である。
【図１２】カードスロットへのカード挿入を説明するための図である。
【図１３】カードスロットへのカード挿入を説明するための図である。
【図１４】スロット情報及びカード情報に基づき生成された案内画面の一例を示す図である。
【発明を実施するための形態】
【００１２】
以下、図面を参照し、本発明の実施形態について説明する。
【００１３】
図１は、本発明の一実施形態に係るデジタルテレビジョン放送受信システムの概略構成を示す図である。図１に示すように、デジタルテレビジョン放送受信システム３は、放送受信装置１及び映像音声出力装置２を備えている。なお、本実施形態では、図１に示すように、放送受信装置１及び映像音声出力装置２がＨＤＭＩケーブルで接続される２ピース型のデジタルテレビジョン放送受信システム３について説明するが、本発明はこれに限定されるものではない。例えば、デジタルテレビジョン放送受信システム３は、放送受信装置１及び映像音声出力装置２が一つの筐体にまとめられた１ピース型であってもよい。
【００１４】
図９は、上記したデジタルテレビジョン放送受信システム３の主要な信号処理系を示す図である。デジタルテレビジョン放送受信システム３の放送受信装置１は、アンテナ１０１ａ、１０１ｂ、入力端子１０２ａ、１０２ｂ、チューナー部１０３、外部入力端子１０４〜１０７、信号処理モジュール１０８、コントローラ１１０、ＯＳＤ信号生成モジュール１１１、グラフィック処理モジュール１１２、映像処理モジュール１１３、音声処理モジュール１１４、操作部１１５、受信部１１７、カードスロット１３１〜１３６、及びＨＤＤ１４０を備えている。また、チューナー部１０３は、地上デジタルテレビジョン放送用のチューナー１０３１〜１０３６とＢＳ／ＣＳデジタルテレビジョン放送のチューナー１０３７とを備えている。なお、本発明は、２以上のチューナー及びこれら２以上のチューナーに対応する２以上のカードスロットを備えた放送受信装置に適用可能である。
【００１５】
また、デジタルテレビジョン放送受信システム３の映像音声出力装置２は、映像表示部２０１及びスピーカ２０２を備えている。
【００１６】
以下、デジタルテレビジョン放送受信システム３の詳細について説明する。地上波放送受信用のアンテナ１０１ａで受信した地上デジタルテレビジョン放送信号は、入力端子１０２ａを介してチューナー１０３１〜１０３６に供給され、チューナー１０３１〜１０３６の地上デジタルテレビジョン放送用信号処理部で、所望のチャンネルのデジタルテレビジョン放送信号が選局される。そして、このチューナー１０３１〜１０３６で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００１７】
また、放送受信装置１は、ＢＳ／ＣＳデジタルテレビジョン放送受信用のアンテナ１０１ｂで受信した衛星デジタルテレビジョン放送信号は、入力端子１０２ｂを介してＢＳ／ＣＳデジタルテレビジョン放送受信用のチューナー１０３７に供給されることにより、所望のチャンネルの放送信号が選局される。そして、このチューナー１０３７で選局された放送信号は、ＰＳＫ（phase shift keying）復調モジュールに供給されて、デジタルの映像信号及び音声信号に復調された後、信号処理モジュール１０８に出力される。
【００１８】
ここで、上記信号処理モジュール１０８は、ＰＳＫ復調モジュール及びＯＦＤＭ復調モジュールからそれぞれ供給されたデジタルの映像信号及び音声信号に対して、選択的に所定のデジタル信号処理を施し、グラフィック処理モジュール１１２及び音声処理モジュール１１４に出力している。
【００１９】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信システム３の外部から入力可能とするものである。
【００２０】
そして、この信号処理モジュール１０８は、各入力端子１０４〜１０７からそれぞれ供給されたアナログの映像信号及び音声信号を選択的にデジタル化し、そのデジタル化された映像信号及び音声信号に対して所定のデジタル信号処理を施した後、グラフィック処理モジュール１１２及び音声処理モジュール１１４に出力している。
【００２１】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２２】
そして、グラフィック処理モジュール１１２から出力されたデジタルの映像信号は、映像処理モジュール１１３に供給される。映像処理モジュール１１３により処理された映像信号は、映像表示部２０１に供給される。映像表示部２０１は、映像信号に基づく映像を表示する。
【００２３】
また、上記音声処理モジュール１１４は、入力されたデジタルの音声信号を、スピーカ２０２で再生可能なフォーマットのアナログ音声信号に変換した後、スピーカ２０２に出力して音声再生させる。
【００２４】
ここで、このデジタルテレビジョン放送受信システム３は、上記した各種の受信動作を含むその全ての動作をコントローラ１１０によって統括的に制御されている。コントローラ１１０は、ＣＰＵ（central processing unit）等を備え、操作部１１５からの操作情報、または、リモートコントローラ１１６から送出され受光部１１７を介して受信した操作情報を受けて、その操作内容が反映されるように各モジュール等をそれぞれ制御している。
【００２５】
この場合、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２６】
さらに、上記コントローラ１１０は、チューナー１０３１〜１０３７により選局されデスクランブルされた放送信号をＨＤＤ１４０へ録画するための録画動作を制御することもできる。
【００２７】
例えば、放送受信システム３は、チューナー１０３１〜１０３７及び大容量のＨＤＤ１４０を搭載し、ハイビジョンレベルの画質で複数チャンネルの１週間分の全番組を録画することが可能となる。このような録画をマルチ同時録画と称する。放送受信システム３は、マルチ同時録画を実現するために、複数チャンネルに対応した複数チューナ１０３１〜１０３７を備えている。更に、放送受信システム３は、スクランブル放送に対応するために、複数チャンネルに対応した複数のデスクランブル用のカードを挿入するための複数のカードスロット１３１〜１３６を備えている。
【００２８】
図１０〜図１３は、カードスロット１３１〜１３６へのカード挿入の一例を示す図である。例えば、図１０に示すように、放送受信装置１の筐体の前面右側には扉１５１が設けられており、図１１に示すように、この扉１５１を開けると、カードスロット１３１へのカード挿入が可能となる。カードスロット１３１は、ＢＳ・ＣＳ・地上共用カード（赤カード）を装填するためのスロットである。このカードスロット１３１に赤カードが挿入されると、地上デジタルテレビジョン放送用のチューナー１０３１による地上デジタルテレビジョン放送信号のデスクランブル又はＢＳ／ＣＳデジタルテレビジョン放送用のチューナー１０３７によるＢＳ／ＣＳデジタルテレビジョン放送信号のデスクランブルが可能となる。コントローラ１１０は、デスクランブルされた放送信号の再生を制御したり、記録を制御したりする。
【００２９】
さらに、図１２に示すように、放送受信装置１には地上デジタル専用カード挿入口用のカバー１５２が設けられており、図１３に示すように、このカバー１５２を開けると、カードスロット１３２〜１３６へのカード挿入が可能となる。カードスロット１３２〜１３６は、地上デジタル専用カード（青カード）を装填するためのスロットである。これらカードスロット１３２〜１３６の夫々に青カードが挿入されると、地上デジタルテレビジョン放送用のチューナー１０３２〜１０３６による地上デジタルテレビジョン放送信号のデスクランブルが可能となる。コントローラ１１０は、デスクランブルされた放送信号の再生を制御したり、記録を制御したりする。
【００３０】
このように多くのカードの挿入を必要とする場合、ユーザーは、カードスロット１３１〜１３６に対するカードの挿入状態、各カードスロットに挿入されたカードのカード番号（識別情報）、及び不適切カードの挿入等によるエラー等を把握するのは難しい。
【００３１】
そこで、放送受信システム３は、カードスロット１３１〜１３６の状態をリスト表示したり、カードスロット１３１〜１３６に挿入された各カードに関する情報をリスト表示したりすることができる。これにより、ユーザは、簡単にカードスロット１３１〜１３６の状態及びカードスロット１３１〜１３６に挿入された各カードを把握することができる。
【００３２】
コントローラ１１０は、カードスロット１３１〜１３６に挿入された各カードのカード情報を読み取り、読取結果から各カードスロットの状態を検出する。例えば、コントローラ１１０は、カードが挿入されていない状態、適切なカードが挿入されている状態、不適切なカードが挿入されている状態、及び破損したカードが挿入されている状態などを検出することができる。さらに、コントローラ１１０は、読取結果から各カードスロットに挿入された各カードに関する情報を収集することもできる。
【００３３】
コントローラ１１０は、検出された各カードスロットの状態をリスト表示するためのスロット情報の出力を制御したり、収集された各カードに関する情報をリスト表示するためのカード情報の出力を制御したり、その他の各種情報の出力を制御したりすることができる。これに対応して、ＯＳＤ信号生成モジュールは、スロット情報及びカード情報の少なくとも一方に対応したＯＳＤ信号を生成する。グラフィック処理モジュール１１２は、信号処理モジュール１０８からの出力映像信号と、ＯＳＤ信号生成モジュール１１１からの出力ＯＳＤ信号とを選択的に出力したり、また同時に出力したりする。同時出力により、映像表示部２０１の一部の表示エリアに出力ＯＳＤ信号に対応した映像が表示され、残りの表示エリアに出力映像信号に対応した映像が表示される。
【００３４】
図２〜図４は、スロット情報及びカード情報に基づき生成された案内画面の一例を示す図である。図２に示すように、例えば、案内画面は、スロット番号（スロット識別情報）、カード番号、状態、及び赤カード／青カード判定結果を一覧表示する。状態の項目には、適切なカードの挿入に対応してＯＫが含まれる。また、赤カード／青カード判定結果の項目には、赤カードであることを示す赤色の情報又は青カードであることを示す青色の情報が含まれる。
【００３５】
或いは、図３に示すように、状態の項目には、カード未挿入に対応して、ＮＯ ＣＡＲＤが表示される。或いは、図４に示すように、状態の項目には、不適なカードの挿入に対応して、ＩＮＶＡＬＩＤが表示される。
【００３６】
日本国内では、赤色のＢ−ＣＡＳカード（赤カード）と青色のＢ−ＣＡＳカード（青カード）が存在し、赤カードは、地上デジタルテレビジョン放送、ＢＳデジタルテレビジョン放送、及びＣＳデジタルテレビジョン放送の合計３波について対応可能である。青カードは、地上デジタルテレビジョン放送のみの対応となっている。
【００３７】
例えば、図１に示す放送受信装置１のカードスロット１３１〜１３６のうち、カードスロット１３１が赤カード用に設定され、カードスロット１３２〜１３６が青カード用に設定されているとする。つまり、カードスロット１３１が通常視聴に利用され、カードスロット１３２〜１３６がマルチ同時録画に利用されるとする。この場合、カードスロット１３１には、赤カードを挿入すべきである。カードスロット１３１に、青カードが挿入されてしまうと、地上デジタルテレビジョン放送と、ＢＳ／ＣＳデジタルテレビジョン放送の無料放送しか視聴できない。そこで、放送受信装置１のコントローラ１１０は、カードスロット１３１に挿入されたカードから読み取られたカード情報に基づき、カードスロット１３１に挿入されたカードを青カードと判定した場合には、カードスロット１３１に挿入されたカードを不適なカードと判定し、不適なカードの挿入を示すカード情報の表示を制御する。また、放送受信装置１のコントローラ１１０は、カードスロット１３２に挿入されたカードから読み取られたカード情報に基づき、カードスロット１３２に挿入されたカードを赤カードと判定した場合には、カードスロット１３２に挿入されたカードを不適なカードと判定し、不適なカードの挿入を示すカード情報の表示を制御する。このようなコントローラ１１０のカード情報の表示制御に対応して、映像表示部２０１は、図４に示すような案内画面を表示する。
【００３８】
例えば、図３又は図４に示すような案内画面が表示された場合、例えば、ユーザは、ＮＯ ＣＡＲＤと表示されたカードスロット又はＩＮＶＡＬＩＤと表示されたカードスロットを見つけて、そのカードスロットの状態を確認する。この確認作業を簡単にするために、放送受信装置１のコントローラ１１０は、スロット番号によりカードスロット１３１〜１３６の位置を示すレイアウト情報の出力を制御する。図５は、このレイアウト情報に基づき生成された案内画面の一例を示す図である。ユーザは、図５に示す案内画面により、放送受信装置１（Ｃｅｌｌ ＢＯＸ）に、カードスロット１３１〜１３６（ＳＬＯＴ１〜６）が順に設けられていることを簡単に理解できる。また、図５に示す案内画面は、カードスロット１３１に対応するＳＬＯＴ１を赤色で表示し、カードスロット１３２〜１３６に対応するＳＬＯＴ２〜６を青色で表示する。これにより、ユーザは、ＳＬＯＴ１には赤カードを挿入し、ＳＬＯＴ２〜６には青カードを挿入すべきことを簡単に理解できる。
【００３９】
また、上記確認作業を簡単にするために、放送受信装置１のコントローラ１１０は、上記したレイアウト情報に対応付けて、カード挿入の有無を示すカード挿入情報の出力を制御する。図６は、レイアウト情報及びレイアウト情報に対応付けられたカード挿入情報に基づき生成された案内画面の一例を示す図である。ユーザは、図６に示す案内画面により、放送受信装置１（Ｃｅｌｌ ＢＯＸ）に、カードスロット１３１〜１３６（ＳＬＯＴ１〜６）が設けられていることを簡単に理解でき、しかも、カードスロット１３４（ＳＬＯＴ４）にカードが挿入されていないことも簡単に理解できる。さらに、図６に示す案内画面は、カードスロット１３１に対応するＳＬＯＴ１に赤カードが挿入されていることを示す情報、カードスロット１３２〜１３６に対応するＳＬＯＴ２〜６に青カードが挿入されていることを示す情報を含む。もし、カードスロット１３１に対応するＳＬＯＴ１に青カードが挿入されてしまっている場合には、図６に示す案内画面は、カードスロット１３１に対応するＳＬＯＴ１に青カードが挿入されていることを示す情報を含む。これにより、ユーザは、各スロットに挿入されているカードの種類も簡単に判別することができる。
【００４０】
なお、リモートコントローラ１１６の画面切り換え操作により、図２〜図４に示す案内画面を、図５、図６に示す案内画面へ切り換えることができる。
【００４１】
ユーザが、上記した案内画面から、不具合が発生していることを知った場合、ユーザは、さらに詳しい情報を知りたい。例えば、ユーザは、不適切なカードの挿入により生じる現象を知りたい。また、不適切なカードの挿入による不具合を解決するための解決策を知りたい。また、不適切なカードの挿入により生じる悪影響を低減するための対応策を知りたい。そこで、放送受信装置１は、上記した案内画面からさらに詳しい情報を案内することができる。つまり、放送受信装置１のコントローラ１１０は、上記したような、現象、解決策、対応策を案内するための情報の出力を制御する。
【００４２】
例えば、リモートコントローラ１１６の画面切り換え操作により、図２〜図４に示すような案内画面が、図７に示すような不適切なカードの挿入により生じる現象を案内するための案内画面へ切り替わる。或いは、図２〜図４に示すような案内画面が、図８に示すような解決策及び対応策を案内するための案内画面へ切り替わる。図８は、複数のカードを有効に活用し、不具合が解消されるまでの間、視聴又は録画に対する悪影響を最小限に留めるための最適な対応策をユーザに提示するための案内画面である。
【００４３】
例えば、コントローラ１１０は、通常の視聴＞通常の録画＞マルチ同時録画の順に優先度を設定し、この優先度に従って最適な解決方法を提示するための案内画面の表示を制御する。なお、上記した優先度は変更可能である。また、上記した優先度をさらに細かく設定することも可能である。例えば、マルチ同時録画対象となる各チャンネルの優先度を設定することも可能である。
【００４４】
また、放送受信システム３は、図１４に示すような案内画面を表示することもできる。図１４は、スロット情報及びカード情報に基づき生成された案内画面の一例を示す図である。図１４に示すように、例えば、案内画面は、スロット識別情報（Ｂ−ＣＡＳ１、Ｂ−ＣＡＳ２、Ｂ−ＣＡＳ３、Ｂ−ＣＡＳ４、Ｂ−ＣＡＳ５、Ｂ−ＣＡＳ６）とカードスロットの状態又はカード情報（正常に動作しています／Ｂ−ＣＡＳカードが挿入されていません／Ｂ−ＣＡＳカードが正しく挿入されていません／Ｂ−ＣＡＳカードの交換が必要です／ご使用になれないＩＣカードです）とを対応付けた対応情報Ｉ１を含み、さらに、スロット識別情報によりカードスロットの位置を示すレイアウト情報Ｉ２を含む。
【００４５】
例えば、対応情報Ｉ１は、カードスロット１３１に対応するＢ−ＣＡＳ１に対して適切なカードが挿入されていることを示す情報を含むことができる。さらに、対応情報Ｉ１は、カードスロット１３２に対応するＢ−ＣＡＳ２に対してカードが挿入されていないことを警告するための警告情報を含むことができる。さらに、対応情報Ｉ１は、カードスロット１３３に対応するＢ−ＣＡＳ３に対してカードが正しく挿入されていないことを警告するための警告情報を含むことができる。さらに、対応情報Ｉ１は、カードスロット１３４に対応するＢ−ＣＡＳ４に対して挿入されているカードの交換を要求する警告情報を含むことができる。さらに、対応情報Ｉ１は、カードスロット１３５に対応するＢ−ＣＡＳ５に対して使用できないＩＣカードが挿入されていることを警告するための警告情報を含むことができる。
【００４６】
また、Ｂ−ＣＡＳ１に対して青カードなどの不適切なカードが挿入され、Ｂ−ＣＡＳ３に対して赤カードなどの不適切なカードが挿入されている場合には、対応情報Ｉ１は、Ｂ−ＣＡＳ１に対して赤カードを挿入し、Ｂ−ＣＡＳ３に対して青カードを挿入するように警告するための警告情報を含むこともできる。
【００４７】
また、対応情報Ｉ１は、Ｂ−ＣＡＳ１に対して赤カードを挿入すべきことを示す赤色の情報、及びＢ−ＣＡＳ２〜Ｂ−ＣＡＳ６に対して青カードを挿入すべきことを示す青色の情報を含むことができる。同様に、レイアウト情報Ｉ２も、Ｂ−ＣＡＳ１の位置に赤カードを挿入すべきことを示す赤色の情報、及びＢ−ＣＡＳ２〜Ｂ−ＣＡＳ６の位置に青カードを挿入すべきことを示す青色の情報を含むことができる。
【００４８】
上記したように、放送受信システム３は、複数のカードスロットに対するカードの挿入状態、及び挿入されたカードの情報を一覧で提示することができる。これにより、ユーザは、容易に状況を把握することができる。
【００４９】
また、放送受信システム３は、一覧表示されたスロット番号と実際のカードスロットの場所の関係を視覚的に提示することができる。これにより、例えば、ユーザは、カード未挿入のスロットを簡単に探し出すことができる。
【００５０】
また、放送受信システム３は、不適切なカードの挿入により生じる現象、不適切なカードの挿入を解決するための解決策を提示することができる。なお、上記した警告情報に、不適切なカードの挿入により生じる現象を案内するための情報（例えば、図７の「想定される問題点」に示す３行の内容）を含めることができ、さらに当該解決策には、不適切なカードの挿入により生じる悪影響を低減するための対応策（例えば、図８の「問題解決のヒント」に示す下３行の内容）を含めることができる。
【００５１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５２】
１…放送受信装置、２…映像音声出力装置、３…デジタルテレビジョン放送受信システム３、１０１ａ、１０１ｂ…アンテナ、１０２ａ、１０２ｂ…入力端子、１０３…チューナー部、１０４〜１０７…外部入力端子、１０８…信号処理モジュール、１１０…コントローラ、１１１…ＯＳＤ信号生成モジュール、１１２…グラフィック処理モジュール、１１３…映像処理モジュール、１１４…音声処理モジュール、１１５…操作部、１１７…受信部、１３１〜１３６…カードスロット、１４０…ＨＤＤ、１０３１〜１０３７…チューナー
【図１】
2011044878.tif 000003
【図２】
2011044878.tif 000004
【図３】
2011044878.tif 000005
【図４】
2011044878.tif 000006
【図５】
2011044878.tif 000007
【図６】
2011044878.tif 000008
【図７】
2011044878.tif 000009
【図８】
2011044878.tif 000010
【図９】
2011044878.tif 000011
【図１０】
2011044878.tif 000012
【図１１】
2011044878.tif 000013
【図１２】
2011044878.tif 000014
【図１３】
2011044878.tif 000015
【図１４】
2011044878.tif 000016